(57)【特許請求の範囲】
【請求項１】
光信号を交換接続するフォトニックネットワークに適用され、光信号を交換接続する手段と、自ノードがソースノードであるときには自ノードとディスティネーションノードとの間にパスを設定する手段とを含み、
３Ｒ(Reshaping,Retiming,Regenerating)中継器を１以上備えるかもしくは備えず、前記３Ｒ中継器は、使用または未使用の状態のどちらかが選択されているフォトニックノードにおいて、
自ノードが３Ｒ無中継で接続可能なノードの情報および自ノードが有する３Ｒ中継器の台数を他ノードへ公告する手段を備えたことを特徴とするフォトニックノード。
【請求項２】
前記公告する手段は、自ノードの有する３Ｒ中継器のうち、未使用の３Ｒ中継器の台数を周期的に公告する請求項１記載のフォトニックノード。
【請求項３】
請求項１ないし２のいずれかに記載のフォトニックノードを備えたことを特徴とするフォトニックネットワーク。
【請求項４】
情報処理装置にインストールすることにより、当該情報処理装置に、
光信号を交換接続するフォトニックネットワークに適用され、光信号を交換接続する機能と、自ノードがソースノードであるときには自ノードとディスティネーションノードとの間にパスを設定する機能とを含み、
３Ｒ(Reshaping,Retiming,Regenerating)中継器を１以上備えるかもしくは備えず、前記３Ｒ中継器は、使用または未使用の状態のどちらかが選択されているフォトニックノードを制御する機能を実現させるプログラムであり、
自ノードが３Ｒ無中継で接続可能なノードの情報および自ノードが有する３Ｒ中継器の台数を他ノードへ公告する機能を実現させる
こと特徴とするプログラム。
【請求項５】
前記公告する機能は、自ノードの有する３Ｒ中継器のうち、未使用の３Ｒ中継器の台数を周期的に公告する請求項４記載のプログラム。
【発明の詳細な説明】
【０００１】
【発明の属する技術分野】
本発明は光信号を交換接続するフォトニックネットワークに利用する。特に、３Ｒ(Reshaping,Retiming,Regenerating)中継を行うフォトニックノードを含むフォトニックネットワークに関する。
【０００２】
【従来の技術】
フォトニックネットワークでは、ファイバの損失やロス、クロストークを考慮して光伝送路の途中で３Ｒ処理を施す必要がある。従来のフォトニックネットワーク構成を図１２に示す。３Ｒ処理を施すためには光伝送路途中のノードに３Ｒ中継器を挿入する。３Ｒ処理を行わなくてもある程度の距離までは伝送可能であるが、その距離を決定するためには複雑な計算を必要とするため、図１２に示すように、１〜２段毎に３Ｒ中継器を挿入し、如何なるルートにパスが設定されても光信号の劣化を補うことができるようにする。
【０００３】
あるいは、フォトニックネットワークの特定ルートに３Ｒ中継器を挿入しておき、これを多数のパスが共通のルートとしてパス設定を行い、３Ｒ中継器を共用するという利用形態もある。ただし、この利用形態では、３Ｒ処理が必要なデータ転送の場合に経由するルートが限定される。
【０００４】
【発明が解決しようとする課題】
３Ｒ中継器は高価でありこの３Ｒ中継器をできるだけ使用しないとフォトニックネットワークはきわめて経済的に実現できる。しかし、従来のパス設定では、３Ｒ中継器の利用状況をノードが把握してパス設定を行うといった配慮は無く、各ノードは、あらかじめ定められた３Ｒ中継器の配置箇所を把握しているだけであり、少数の３Ｒ中継器を多数のパスが共用することになると、一部の３Ｒ中継器に多数の負荷が集中するといった不都合が生じる可能性がある。また、少数の３Ｒ中継器を多数のパスが共用すると３Ｒ中継器の挿入箇所をパスが必ず経由することが必要になり、パス設定のフレキシビリティが低下する。
【０００５】
例えば、３Ｒ負荷が集中している特定のルートに対する新規パスの追加要求があっても、他のルートが空いているにも係わらず、そのルートにパスが設定できない事態が発生する。
【０００６】
本発明は、このような背景に行われたものであって、少数の３Ｒ中継器を用いてネットワークリソースの有効利用を図りながらフォトニックネットワークを構成してもフレキシビリティの高いフォトニックネットワークを実現でき、新規パスの追加に柔軟に対応することができるフォトニックノードおよびフォトニックネットワークを提供することを目的とする。
【０００７】
【課題を解決するための手段】
本発明は、各ノードが自ノードの３Ｒ中継能力を示す情報を他ノードに公告し、各ノードは、この公告を受け取って他ノードにおける３Ｒ中継能力を把握し、パス設定の際に、各ノードの３Ｒ中継能力までも考慮してパス設定を行うことにより、３Ｒ処理負荷が低いルートにパス設定を行うことができることを特徴とする。これにより、少数の３Ｒ中継器を用いてネットワークリソースの有効利用を図りながらフォトニックネットワークを構成した場合でも３Ｒ処理負荷が特定の箇所に集中してしまう事態を回避することができる。したがって、フレキシビリティの高いフォトニックネットワークを実現でき、空きルートを有効に利用して新規パスの追加に柔軟に対応することができる。
【０００８】
すなわち、本発明の第一の観点は、光信号を交換接続するフォトニックネットワークに適用され、光信号を交換接続する手段と、自ノードがソースノードであるときには自ノードとディスティネーションノードとの間にパスを設定する手段とを含み、３Ｒ中継器を１以上備えるかもしくは備えず前記３Ｒ中継器は、使用または未使用の状態のどちらかが選択されているフォトニックノードであって、本発明の特徴とするところは、自ノードまたは自ノードが３Ｒ無中継で接続可能な全てのノードが有する３Ｒ中継器の台数を他ノードへ公告する手段を備えたところにある。
【０００９】
前記公告する手段は、自ノードまたは自ノードが３Ｒ無中継で接続可能な全てのノードの有する３Ｒ中継器のうち、未使用の３Ｒ中継器の台数を周期的に公告することが望ましい。
【００１０】
本発明の第二の観点は、本発明のフォトニックノードを備えたことを特徴とするフォトニックネットワークである。
【００１１】
このように、ソースノードは、他ノードからの公告を受け取ることにより、ディスティネーションノードまでのショーテストパス上における３Ｒ中継を行うノードおよびその能力を全て把握することが可能となる。その上で、最も３Ｒ中継数が少なくなるように、３Ｒ中継を行うノードを選択することができる。さらに、３Ｒ中継数が同じになる複数の３Ｒ中継を行うノード候補が存在するときには、最も３Ｒ中継能力に余裕のある３Ｒ中継を行うノードを選択することができる。
【００１２】
これにより、少数の３Ｒ中継器を用いながらフォトニックネットワークを構成してもフレキシビリティの高いフォトニックネットワークを実現でき、新規パスの追加に柔軟に対応することができる。
【００１３】
【発明の実施の形態】
（第一実施例）
本発明第一実施例のフォトニックノードおよびフォトニックネットワークを図１ないし図５を参照して説明する。図１は本実施例のフォトニックネットワークの一例を示す図である。図２は本実施例のフォトニックノードのブロック構成図である。図３は第一実施例の公告パケットを示す図である。図４は第一実施例の３Ｒ中継情報リストを示す図である。図５は第一実施例のパス設定部の動作を示すフローチャートである。
【００１４】
本実施例は、図１に示すように、光信号を交換接続するフォトニックネットワークに適用され、図２に示すように、光信号を交換接続する光クロスコネクト１と、自ノードがソースノードであるときには自ノードとディスティネーションノードとの間の通過ノード数が最小となるショーテストパスを計算するルート計算部２と、このルート計算部２の計算結果に基づき自ノードとディスティネーションノードとの間にパスを設定するパス設定部３とを含み、３Ｒ中継器７１〜７ｎを１以上備えるかもしくは備えないフォトニックノードである。
【００１５】
ここで、第一実施例の特徴とするところは、図２に示すように、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５と、この３Ｒ中継情報計算部５の計算結果および自ノードが有する３Ｒ中継器７１〜７ｎの数を図３に示すようにＯＳＰＦシグナリング用パケットにより他ノードに公告する３Ｒ中継情報公告部６と、図４に示すように、他ノードから公告された無中継リーチャブルノードおよび３Ｒ中継器数の情報を当該他ノードのアドレスに対応させてそれぞれ集計する３Ｒ中継情報収集部４とを備え、パス設定部３は、図５に示すように、自ノードがソースノードであるときには、ディスティネーションノードまでのショーテストパスをルート計算部２に計算させ（ステップ１）、当該ショーテストパスの途中に３Ｒ中継が必要であるか否かを判定し（ステップ２）、必要であれば、３Ｒ中継情報収集部４の集計結果に基づき可能な限りディスティネーションノードまで少ない３Ｒ中継数となるように３Ｒ中継を行うノードを選択し（ステップ３）、この選択された３Ｒ中継を行うノード候補が複数有るときには（ステップ４）、３Ｒ中継情報収集部４の集計結果に基づき当該３Ｒ中継を行うノード候補の中から最も３Ｒ中継能力の余裕度の大きい候補を最適な３Ｒ中継を行うノードとして選択し（ステップ５）、この際に、３Ｒ中継情報収集部４の集計結果に基づき認識した当該３Ｒ中継を行うノード候補における３Ｒ中継器数を当該３Ｒ中継能力の余裕度として最も３Ｒ中継器数の多い３Ｒ中継を行うノード候補を選択するところにある。
【００１６】
（第二実施例）
第二実施例を図２および図５ないし図７を参照して説明する。図６は第二実施例の公告パケットを示す図である。図７は第二実施例の３Ｒ中継情報リストを示す図である。
【００１７】
第二実施例の特徴とするところは、図２に示すように、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５と、この３Ｒ中継情報計算部５の計算結果および自ノードが有する３Ｒ中継器７１〜７ｎの数および当該３Ｒ中継器７１〜７ｎの使用状況を他ノードに図６に示すＯＳＰＦ用シグナリングパケットにより公告する３Ｒ中継情報公告部６と、他ノードから公告された無中継リーチャブルノードおよび３Ｒ中継器数および当該３Ｒ中継器の使用状況の情報を図７に示すように当該他ノードのアドレスに対応させてそれぞれ集計する３Ｒ中継情報収集部４とを備え、パス設定部３は、図５に示すように、自ノードがソースノードであるときには、ディスティネーションノードまでのショーテストパスをルート計算部２に計算させ（ステップ１）、当該ショーテストパスの途中に３Ｒ中継が必要であるか否かを判定し（ステップ２）、必要であれば、３Ｒ中継情報収集部４の集計結果に基づき可能な限りディスティネーションノードまで少ない３Ｒ中継数となるように３Ｒ中継を行うノードを選択し（ステップ３）、この選択された３Ｒ中継を行うノード候補が複数有るときには（ステップ４）、３Ｒ中継情報収集部４の集計結果に基づき当該３Ｒ中継を行うノード候補の中から最も３Ｒ中継能力の余裕度の大きい候補を最適な３Ｒ中継を行うノードとして選択する（ステップ５）ところにある。
【００１８】
第二実施例では、図７に示すように、他ノードにおける総３Ｒ中継器数と未使用の３Ｒ中継器数とが公告されているので、パス設定部３は、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数を当該３Ｒ中継能力の余裕度として最も未使用の３Ｒ中継器数の多い３Ｒ中継を行うノード候補を選択する。
【００１９】
あるいは、パス設定部３は、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数から１減じた値を当該３Ｒ中継を行うノード候補における全ての３Ｒ中継器数で除した値を当該３Ｒ中継能力の余裕度として最も当該除算結果が大きい３Ｒ中継を行うノード候補を選択する。
【００２０】
このように、ノード内の３Ｒ中継器の使用率が高いか低いかによって、３Ｒ中継能力の余裕度が高いか低いかを表現することができる。ここで、当該３Ｒ中継を行うノード候補における未使用の前記３Ｒ中継器数から１減じた値を当該３Ｒ中継を行うノード候補における全ての前記３Ｒ中継器数で除する理由は、前述したとおりである。また、未使用の３Ｒ中継器の数が０の場合には、演算式が（０−１）／ｎ＝−ｎ（ｎは全３Ｒ中継器数）となり、３Ｒ中継コストがマイナスの値をとるが、このような場合には３Ｒ中継能力が無し（値“０”）を示すとして定義を行えばよい。
【００２１】
３Ｒ中継情報公告部６は、３Ｒ中継器の使用状況の情報を周期的に更新し、この更新された当該使用状況の情報を含む公告を周期的に送出する。
【００２２】
（第三実施例）
第三実施例を図２および図８ないし図１１を参照して説明する。図８は第三実施例の公告パケットを示す図である。図９は第三実施例の３Ｒ中継情報リストを示す図である。図１０および図１１は第三実施例のパス設定部の動作を示すフローチャートである。
【００２３】
第三実施例の特徴とするところは、図２に示すように、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５と、自ノードが有する３Ｒ中継器７１〜７ｎの数およびその使用状況を他ノードに図８に示すようにＯＳＰＦシグナリング用パケットにより公告する３Ｒ中継情報公告部６と、他ノードから公告された３Ｒ中継器数およびその使用状況の情報を図９に示すように当該他ノードのアドレスに対応させてそれぞれ集計する３Ｒ中継情報収集部４とを備え、パス設定部３は、図１０に示すように、自ノードがソースノードであるとき、ディスティネーションノードまでのショーテストパスをルート計算部２に計算させ（ステップ１）、当該ショーテストパスの途中に３Ｒ中継が必要であるか否かを判定し（ステップ２）、必要であれば、３Ｒ中継情報収集部４の集計結果に基づき可能な限りディスティネーションノードに向かう無中継リーチャブルノードまで少ない３Ｒ中継数となるように３Ｒ中継を行うノードを選択し（ステップ３）、この選択された３Ｒ中継を行うノード候補が複数有るときには（ステップ４）、３Ｒ中継情報収集部４の集計結果に基づき当該３Ｒ中継を行うノード候補の中から最も３Ｒ中継能力の余裕度の大きい候補を最適な３Ｒ中継を行うノードとして選択する（ステップ５）ところにある。
【００２４】
さらに、自ノードが他ノードから３Ｒ中継を行うノードとして選択されたノードであるときには、図１１に示すように、ソースノード等の上流のノードから３Ｒ中継要求を受信すると（ステップ１）、さらに３Ｒ中継が必要か否かを判定し（ステップ２）、必要であれば、３Ｒ中継情報収集部４の集計結果に基づき可能な限りディスティネーションノードに向かう無中継リーチャブルノードまで少ない３Ｒ中継数となるように３Ｒ中継を行うノードを選択し（ステップ３）、この選択された３Ｒ中継を行うノード候補が複数有るときには（ステップ４）、３Ｒ中継情報収集部４の集計結果に基づき当該３Ｒ中継を行うノード候補の中から最も３Ｒ中継能力の余裕度の大きい候補を最適な３Ｒ中継を行うノードとして選択する（ステップ５）ところにある。
【００２５】
第三実施例では、第二実施例と同様に、図９に示すように、他ノードにおける総３Ｒ中継器数と未使用の３Ｒ中継器数とが公告されているので、パス設定部３は、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数を当該３Ｒ中継能力の余裕度として最も未使用の３Ｒ中継器数の多い３Ｒ中継を行うノード候補を選択する。
【００２６】
あるいは、パス設定部３は、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数から１減じた値を当該３Ｒ中継を行うノード候補における全ての３Ｒ中継器数で除した値を当該３Ｒ中継能力の余裕度として最も当該除算結果が大きい３Ｒ中継を行うノード候補を選択する。
【００２７】
３Ｒ中継情報公告部６は、３Ｒ中継器の使用状況の情報を周期的に更新し、この更新された当該使用状況の情報を含む公告を周期的に送出する。
【００２８】
（第四実施例）
本実施例のフォトニックノードを制御する機能は情報処理装置であるコンピュータ装置を用いて実現することができる。すなわち、コンピュータ装置にインストールすることにより、そのコンピュータ装置に、光信号を交換接続するフォトニックネットワークに適用され、光信号を交換接続する光クロスコネクト１と、自ノードがソースノードであるときには自ノードとディスティネーションノードとの間の通過ノード数が最小となるショーテストパスを計算するルート計算部２と、このルート計算部２の計算結果に基づき自ノードとディスティネーションノードとの間にパスを設定するパス設定部３とを含み、３Ｒ中継器７１〜７ｎを１以上備えるかもしくは備えないフォトニックノードを制御する機能を実現させるプログラムであって、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５に相応する機能と、この３Ｒ中継情報計算部５の計算結果および自ノードが有する３Ｒ中継器７１〜７ｎの数を他ノードに公告する３Ｒ中継情報公告部６に相応する機能と、他ノードから公告された無中継リーチャブルノードおよび３Ｒ中継器数の情報を当該他ノードのアドレスに対応させてそれぞれ集計する３Ｒ中継情報収集部４に相応する機能とを実現させ、パス設定部３に相応する機能として、自ノードがソースノードであるときには、３Ｒ中継情報収集部４の集計結果に基づき可能な限りディスティネーションノードまで少ない３Ｒ中継数となるように３Ｒ中継を行うノードを選択する第一選択機能と、この第一選択機能により選択された３Ｒ中継を行うノード候補が複数有るときには、３Ｒ中継情報収集部４の集計結果に基づき当該３Ｒ中継を行うノード候補の中から最も３Ｒ中継能力の余裕度の大きい候補を選択する第二選択機能とを実現させ、前記第二選択機能として、３Ｒ中継情報収集部４の集計結果に基づき認識した当該３Ｒ中継を行うノード候補における３Ｒ中継器数を当該３Ｒ中継能力の余裕度として最も３Ｒ中継器数の多い３Ｒ中継を行うノード候補を選択する機能を実現させるプログラムをコンピュータ装置にインストールすることにより、そのコンピュータ装置に第一実施例のフォトニックノードを制御する機能を実現させることができる。
【００２９】
あるいは、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５に相応する機能と、この３Ｒ中継情報計算部５の計算結果および自ノードが有する３Ｒ中継器７１〜７ｎの数および当該３Ｒ中継器７１〜７ｎの使用状況を他ノードに公告する３Ｒ中継情報公告部６に相応する機能と、他ノードから公告された無中継リーチャブルノードおよび３Ｒ中継器数および当該３Ｒ中継器の使用状況の情報を当該他ノードのアドレスに対応させてそれぞれ集計する３Ｒ中継情報収集部４に相応する機能とを実現させ、パス設定部３に相応する機能として、自ノードがソースノードであるときには、３Ｒ中継情報収集部４の集計結果に基づき可能な限りディスティネーションノードまで少ない３Ｒ中継数となるように３Ｒ中継を行うノードを選択する第三選択機能と、この第三選択機能により選択された３Ｒ中継を行うノード候補が複数有るときには、３Ｒ中継情報収集部４の集計結果に基づき当該３Ｒ中継を行うノード候補の中から最も３Ｒ中継能力の余裕度の大きい候補を選択する第四選択機能とを実現させるプログラムをコンピュータ装置にインストールすることにより、そのコンピュータ装置に第二実施例のフォトニックノードを制御する機能を実現させることができる。
【００３０】
あるいは、自ノードがソースノードであると仮定した場合の３Ｒ中継を必要とせず光信号の転送を行える限界に位置するノードである無中継リーチャブルノードをネットワークトポロジに変更が生じる度に計算する３Ｒ中継情報計算部５に相応する機能と、自ノードが有する３Ｒ中継器７１〜７ｎの数およびその使用状況を他ノードに公告する３Ｒ中継情報公告部６に相応する機能と、他ノードから公告された３Ｒ中継器数およびその使用状況の情報を当該他ノードのアドレスに対応させてそれぞれ集計する３Ｒ中継情報収集部４に相応する機能とを実現させ、パス設定部３に相応する機能として、自ノードがソースノードであるとき、あるいは、自ノードが他ノードから３Ｒ中継を行うノードとして選択されたノードであるときには、３Ｒ中継情報収集部４の集計結果に基づき可能な限りディスティネーションノードに向かう無中継リーチャブルノードまで少ない３Ｒ中継数となるように３Ｒ中継を行うノードを選択する第五選択機能と、この第五選択機能により選択された３Ｒ中継を行うノード候補が複数有るときには、３Ｒ中継情報収集部４の集計結果に基づき当該３Ｒ中継を行うノード候補の中から最も３Ｒ中継能力の余裕度の大きい候補を選択する第六選択機能とを実現させるプログラムをコンピュータ装置にインストールすることにより、そのコンピュータ装置に第三実施例のフォトニックノードを制御する機能を実現させることができる。
【００３１】
さらに、コンピュータ装置に、第二および第三実施例のフォトニックノードを制御する機能を実現させるためには、前記第四または第六選択機能として、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数を当該３Ｒ中継能力の余裕度として最も未使用の３Ｒ中継器数の多い３Ｒ中継を行うノード候補を選択する機能を実現させたり、あるいは、前記第四または第六選択機能として、３Ｒ中継を行うノード候補における３Ｒ中継能力の余裕度として３Ｒ中継情報収集部４の集計結果に基づき認識した当該３Ｒ中継を行うノード候補における未使用の３Ｒ中継器数から１減じた値を当該３Ｒ中継を行うノード候補における全ての３Ｒ中継器数で除した値を当該３Ｒ中継能力の余裕度として最も当該除算結果が大きい３Ｒ中継を行うノード候補を選択する機能を実現させる。
【００３２】
さらに、３Ｒ中継情報公告部６に相応する機能として、３Ｒ中継器の使用状況の情報を周期的に更新する機能と、この更新する機能により更新された当該使用状況の情報を含む公告を周期的に送出する機能とを実現させる。
【００３３】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００３４】
これにより、コンピュータ装置を用いて、少数の３Ｒ中継器を用いてネットワークリソースの有効利用を図りながらフォトニックネットワークを構成してもフレキシビリティの高いフォトニックネットワークを実現でき、新規パスの追加に柔軟に対応することができるフォトニックノードおよびフォトニックネットワークを実現することができる。
【００３５】
【発明の効果】
以上説明したように、本発明によれば、少数の３Ｒ中継器を用いてネットワークリソースの有効利用を図りながらフォトニックネットワークを構成してもフレキシビリティの高いフォトニックネットワークを実現でき、新規パスの追加に柔軟に対応することができる。
【図面の簡単な説明】
【図１】本実施例のフォトニックネットワークの一例を示す図。
【図２】本実施例のフォトニックノードのブロック構成図。
【図３】第一実施例の公告パケットを示す図。
【図４】第一実施例の３Ｒ中継情報リストを示す図。
【図５】第一実施例のパス設定部の動作を示すフローチャート。
【図６】第二実施例の公告パケットを示す図。
【図７】第二実施例の３Ｒ中継情報リストを示す図。
【図８】第三実施例の公告パケットを示す図。
【図９】第三実施例の３Ｒ中継情報リストを示す図。
【図１０】第三実施例のパス設定部の動作を示すフローチャート。
【図１１】第三実施例のパス設定部の動作を示すフローチャート。
【図１２】従来のフォトニックネットワーク構成を示す図。
【符号の説明】
１  光クロスコネクト
２  ルート計算部
３  パス設定部
４  ３Ｒ中継情報収集部
５  ３Ｒ中継情報計算部
６  ３Ｒ中継情報公告部
７１〜７ｎ  ３Ｒ中継器
【図１】
0003717866.tif 000002
【図２】
0003717866.tif 000003
【図３】
0003717866.tif 000004
【図４】
0003717866.tif 000005
【図５】
0003717866.tif 000006
【図６】
0003717866.tif 000007
【図７】
0003717866.tif 000008
【図８】
0003717866.tif 000009
【図９】
0003717866.tif 000010
【図１０】
0003717866.tif 000011
【図１１】
0003717866.tif 000012
【図１２】
0003717866.tif 000013